(57)【特許請求の範囲】
【請求項１】
吸込み口および吹出し口が形成された筺体と、
前記筺体内に配置され、前記吸込み口から吸込まれた空気と熱交換する熱交換器と、
前記熱交換器で熱交換された空気を前記吹出し口から吹出させる送風機と、
前記吹出し口に上下回動自在に設けられ、前記熱交換器により熱交換された空気の上下方向の吹出し方向を設定する上下風向板と、を備え、
前記筺体は、前面側に配置される前面パネルと、下面側に配置される下面パネルと、前記前面パネルの下方に配置され、前記下面パネルと直角または鈍角に接続する正面パネルと、を有しており、
前記吹出し口は、前記下面パネルから前記正面パネルにかけて形成され、吹出し口側壁と前記下面パネルとが接続する下側角部と、前記吹出し口側壁と前記正面パネルとが接続する正面側角部とを有し、
前記下側角部および前記正面側角部は、それぞれ面取りされ、前記正面側角部の面取り寸法は、前記下側角部の面取り寸法より小さいものである
空気調和機の室内機。
【請求項２】
前記下側角部は、前記吹出し口側壁側の面取り寸法Ａよりも前記下面パネル側の面取り寸法Ｂが大きいものである
請求項１記載の空気調和機の室内機。
【請求項３】
前記下側角部は、断面形状が直線状となるＣ面取りが施され、
前記正面側角部は、断面形状が曲面状となるＲ面取りが施されたものである
請求項１または２記載の空気調和機の室内機。
【請求項４】
前記前面パネルの下部は、背面側へ屈曲した断面Ｌ字形状を有している
請求項１〜３のいずれか一項記載の空気調和機の室内機。
【請求項５】
前記上下風向板は、上吹き風向時には、前記下面パネルと前記正面パネルとの接続位置より上方に位置し、下吹き風向時には、下流側端部が前記接続位置より下方に位置し、かつ風路内の意匠面が前記接続位置より後方に位置する
請求項１〜４のいずれか一項記載の空気調和機の室内機。
【発明の詳細な説明】
【技術分野】
【０００１】
本発明は、空気調和機の室内機に関し、特に吹出し口の構成に関する。
【背景技術】
【０００２】
従来、空気調和機の室内機は、吸込み口から吹出し口に至る空気流路に配置された送風ファンと、送風ファンの周囲に配置された熱交換器と、吹出し口の近傍に回動可能に支持された風向板等とを備えている。そして、吹出し口から吹出される調和空気は、上下方向の向きが上下風向板により変更され、左右方向の向きが左右風向板により変更される。このような空気調和機の室内機において、筺体の前面パネルがラウンド形状を有し、吹出し口の側壁が意匠面との境界において外側へ広がる形状を有したものがある（例えば、特許文献１参照）。
【先行技術文献】
【特許文献】
【０００３】
【特許文献１】特開２０１３−５３７９６号公報
【発明の概要】
【発明が解決しようとする課題】
【０００４】
しかしながら、特許文献１に記載される空気調和機の室内機では、吹出し口の側壁は、断面が直線部を含む形状で外側へ広がり、本体の前面下部につながっている。そのため、吹出された調和空気は、コアンダ効果により、吹出し口の角部の形状に沿って外側すなわち室内機の左右方向に広がる。したがって、室内機の正面方向への風量が減少し、気流の到達距離が短くなり、室内機の正面に位置する使用者の快適性を低下させる場合がある。【０００５】
一方、吹出し口の角部において意匠面と吹出し口側壁とが直角に接する構成では、上記のように角部が外側へ広がる形状のものに比べ、左右方向への調和空気の広がりを抑制することができる。しかしながら、このような吹出し口では、正面方向への風量は増加して正面方向における気流の到達距離が長くなるが、左右方向への風量は減少して左右方向における気流の到達距離が短くなり、室内機の左右方向に位置する使用者の快適性を低下させる場合がある。【０００６】
本発明は、上記のような課題を解決するためになされたもので、室内機の正面方向と左右方向において気流到達性を向上させた空気調和機の室内機を提供することを目的とする。
【課題を解決するための手段】
【０００７】
本発明に係る空気調和機の室内機は、吸込み口および吹出し口が形成された筺体と、前記筺体内に配置され、前記吸込み口から吸込まれた空気と熱交換する熱交換器と、前記熱交換器で熱交換された空気を前記吹出し口から吹出させる送風機と、前記吹出し口に上下回動自在に設けられ、前記熱交換器により熱交換された空気の上下方向の吹出し方向を設定する上下風向板と、を備え、前記筺体は、前面側に配置される前面パネルと、下面側に配置される下面パネルと、前記前面パネルの下方に配置され、前記下面パネルと直角または鈍角に接続する正面パネルと、を有しており、前記吹出し口は、前記下面パネルから前記正面パネルにかけて形成され、吹出し口側壁と前記下面パネルとが接続する下側角部と、前記吹出し口側壁と前記正面パネルとが接続する正面側角部とを有し、前記下側角部および前記正面側角部は、それぞれ面取りされ、前記正面側角部の面取り寸法は、前記下側角部の面取り寸法より小さいものである。
【発明の効果】
【０００８】
本発明の空気調和機の室内機によれば、吹出し口の下側角部は面取りされているため、コアンダ効果により、吹出される調和空気が角部の形状に沿って左右方向へ広がり、左右方向において遠くまで気流を到達させることができる。さらに、吹出し口の正面側角部は下側角部の面取り寸法より小さい寸法で面取りされているため、下側角部と同一の角部を有する場合に比べ、吹出される調和空気の左右方向への広がりが抑制され、正面方向への風量が増えて遠くまで気流を到達させることができる。このように、本発明の空気調和機の室内機によれば、下側角部と正面側角部により左右方向の風向制御性が良くなり、左右方向および正面方向において気流到達性を向上させることができる。
【図面の簡単な説明】
【０００９】
【図１】本発明の実施の形態１に係る空気調和機の冷媒回路を示す概略図である。
【図２】本発明の実施の形態１に係る空気調和機の室内機の外観を示す斜視図である。
【図３】本発明の実施の形態１に係る空気調和機の室内機の外観を示す側面図である。
【図４】本発明の実施の形態１に係る空気調和機の室内機の内部構成を示す断面図である。
【図５】本発明の実施の形態１に係る空気調和機の室内機の吹出し口角部周辺を示す拡大斜視図である。
【図６】本発明の実施の形態１に係る空気調和機の室内機の吹出し口下側角部を示す部分断面図である。
【図７】本発明の実施の形態１に係る空気調和機の室内機の吹出し口正面側角部を示す部分断面図である。
【図８】本発明の実施の形態１に係る空気調和機の室内機の上吹き風向時における吹出し口周辺の断面図である。
【図９】本発明の実施の形態１に係る空気調和機の室内機の下吹き風向時における吹出し口周辺の断面図である。
【発明を実施するための形態】
【００１０】
以下、本発明の実施の形態に係る空気調和機１について図面を参照して説明する。
【００１１】
実施の形態１．
図１は、本発明の実施の形態１に係る空気調和機の冷媒回路を示す概略図である。図１に示すように、空気調和機１は、室内機２と、室外機３とを備えている。室内機２は、室内熱交換器４と、室内送風機５等とを備えている。室外機３は、室外熱交換器６と、室外送風機７と、圧縮機８と、四方切換弁９と、膨張弁１０等とを備えている。そして、室内機２と室外機３は、ガス側接続配管１１および液側接続配管１２により互いに接続され、冷媒回路１３を構成している。
【００１２】
空気調和機１は、四方切換弁９の経路を切り換えることにより、冷房運転と暖房運転とを切り換える。図１には、空気調和機１が冷房運転を行うときの四方切換弁９の経路が示され、実線矢印は冷房運転時の冷媒流れを表している。一方、図１の破線矢印は暖房運転時の冷媒流れを表している。
【００１３】
次に、図２〜図４に基づき、室内機２の概略構成について説明する。図２は、本発明の実施の形態１に係る空気調和機の室内機の外観を示す斜視図である。図３は、本発明の実施の形態１に係る空気調和機の室内機の外観を示す側面図である。図４は、本発明の実施の形態１に係る空気調和機の室内機の内部構成を示す断面図である。
【００１４】
室内機２は、筺体２０と、筺体２０内に配置された室内熱交換器４と室内送風機５とを有し、空調対象空間に設置されている。図２には、室内機２の一例として、壁掛け用の室内機２が示されている。以下、室内機２について、壁面Ｋ側にある面を背面とし、その対面を前面とし、天井Ｔ側にある面を天面とし、天面の対面を下面とし、図２において紙面右側の側面を右側面とし、右側面の対面を左側面として説明をする。また風向においては、天面側を上方向、下面側を下方向、前面側を正面方向、背面側を後ろ方向、左側面側を左方向、右側面側を右方向として説明する。
【００１５】
筺体２０は、前面を主に前面パネル２３、左右側面を側面パネル２４、背面を背面パネル２５、天面を天面パネル２７、下面を背面パネル２５および下面パネル２６によって覆われている。図４に示すように、前面パネル２３の下部（以下、前面パネル下部２３ａという）は、背面側へ屈曲し、断面Ｌ字形状を有している。また、図３に示すように、筺体２０の前面パネル２３の下方には正面パネル２８が配置され、正面パネル２８は、下面パネル２６と接続している。そして、正面パネル２８と下面パネル２６の２面がなす角度θは鈍角となっている。なお、正面パネル２８は角度θが直角となるように下面パネル２６に接続されていてもよい。
【００１６】
また筺体２０は、上部に吸込み口２１、下部に吹出し口２２を有し、吸込み口２１と吹出し口２２とをつなぐ風路を形成している。吸込み口２１は、筺体２０の天面パネル２７に設けられた格子状の開口で構成され、吹出し口２２は、下面パネル２６から正面パネル２８にかけて形成されている。図２〜図４に示すように、吹出し口２２の内壁は、吹出し口天面３３、吹出し口底面３４および左右の吹出し口側壁３５（図５参照）により構成される。吹出し口天面３３および吹出し口底面３４は、風路が吹出し口２２に近づくにつれて次第に上方を向くように、例えば緩やかな曲面で形成されている。
【００１７】
室内熱交換器４は、冷媒回路１３を循環する冷媒と吸込み口２１から吸込まれた室内空気との間で熱交換させる。室内送風機５は、空気を吸込み口２１から取り込み、周囲に配置された室内熱交換器４を通過させて吹出し口２２から吹出させる。室内送風機５は、例えばクロスフローファン等で構成され、図示しないモータ等により駆動される。また室内熱交換器４の風路の上流には、空気中の塵埃を除去するフィルター４７が設置され、室内熱交換器４の下方には、室内熱交換器４からのドレン水を回収するドレンパン４８が配置されている。
【００１８】
また室内機２は、室内熱交換器４で調和された室内空気（以下、調和空気と称す）の吹出し方向を調整する風向調整機構を備えている。図４に示すように、風向調整機構は、例えば、上下風向板４１と、上下補助風向板４２と、左右風向板４３等とで構成される。
【００１９】
上下風向板４１および上下補助風向板４２は、吹出し口２２の長手方向（左右方向）に沿って伸びており、吹出し口２２から吹出される調和空気の上下方向の風向を変更するとともに、吹出し口２２の開閉を行うものである。上下風向板４１は、吹出し口２２近傍において、図示しない上下風向支持部材により、上下風向板回転軸の回りを回動可能に支持されている。上下補助風向板４２もまた、吹出し口２２近傍において、図示しない上下補助風向支持部材により、上下補助風向板回転軸の回りを回動可能に支持されている。上下風向板４１および上下補助風向板４２は、図示しないモータ等により駆動され、モータは図示しない制御装置により駆動が制御されている。また上下風向板４１および上下補助風向板４２は、それぞれ、吹出し口２２を閉じたときには、室内機２の意匠面の一部を構成する。
【００２０】
左右風向板４３は、長手方向（左右方向）に配列した複数の風向板で構成され、吹出し口２２から吹出される調和空気の左右方向の風向を変更するものである。複数の風向板は吹出し口２２の吹出し口天面３３にそれぞれ左右回動自在に設置され、連結棒で互いに連結されている。左右風向板４３は、図示しないモータ等により駆動され、モータは図示しない制御装置により駆動が制御されている。
【００２１】
次に、空気調和機１が運転中であるときの室内機２内における空気の流れについて簡単に説明する。室内送風機５により吸込み口２１から吸いこまれた室内空気は、フィルター４７によって塵埃が除去され、室内熱交換器４に供給される。室内熱交換器４に供給された空気は、室内熱交換器４を通過する際に冷媒との間で熱交換され、冷房運転時には冷やされ、暖房運転時には温められて調和空気となり、室内送風機５に到達する。調和空気は、室内送風機５の内部、もしくは室内送風機５と吹出し口底面３４との隙間を通過し、風向調整機構により吹出し方向が調整され、吹出し口２２から空調対象空間に吹出される。
【００２２】
次に、図５〜図７に基づき、吹出し口２２の角部（以下、吹出し口角部３８という）の構造について説明する。図５は、本発明の実施の形態１に係る空気調和機の室内機の吹出し口角部周辺を示す拡大斜視図である。図６は、本発明の実施の形態１に係る空気調和機の室内機の吹出し口下側角部を示す部分断面図である。図７は、本発明の実施の形態１に係る空気調和機の室内機の吹出し口正面側角部を示す部分断面図である。図中、矢印Ｘ、ＹおよびＺは、それぞれ空気調和機１の左右方向、前後方向または上下方向を表している。
【００２３】
図５に示すように、吹出し口２２の左右の外側は、正面パネル２８および下面パネル２６の２面で構成されており、吹出し口２２の内壁である吹出し口側壁３５と接続されている。つまり、吹出し口２２は、吹出し口側壁３５と下面パネル２６とが接続する下側角部３６と、吹出し口側壁３５と正面パネル２８とが接続する正面側角部３７とを有している。
【００２４】
吹出し口２２の下側角部３６および正面側角部３７には、面取り加工が施されている。面取り加工は、例えば、断面形状が直線状となるＣ面取り、断面形状が曲線状となるＲ面取り、またはこれらを組合せたものである。そして吹出し口角部３８は、正面側角部３７の面取り寸法が、下側角部３６の面取り寸法より小さくなるように構成されている。なお、下側角部３６と正面側角部３７の面取り加工は、例えば、双方ともがＲ面取りもしくはＣ面取りでもよく、または、一方がＲ面取りされ、他方がＣ面取りされたものでもよい。面取り寸法とは、Ｃ面取りでは削り取る辺の長さ、Ｒ面取りでは曲率半径をいう。
【００２５】
このように、吹出し口角部３８は面取りされ、正面パネル２８側では下面パネル２６側より面取り寸法が小さくなっている。このため、吹出し口角部３８において下方へ吹出される調和空気Ａ１は、コアンダ効果により、下側角部３６の形状に沿って左右方向（矢印Ｘ方向）へ広がる。一方、吹出し口角部３８において前方へ吹出される調和空気Ａ２は、下側角部３６に比べて面取り寸法が小さい正面側角部３７によって左右方向への広がりが抑制される。その結果、室内機２は、左右方向へ調和空気Ａ１を提供するとともに、正面方向への風量を増加させ、正面方向における気流到達性を向上させることができる。
【００２６】
図６には、面取りされた下側角部３６の一例が、ＸＺ平面での断面図で示される。図６に示すように、下側角部３６にＣ面取り加工を施す場合には、吹出し口側壁３５側の面取り寸法Ａよりも下面パネル２６側の面取り寸法Ｂが大きくなるように構成するとよい。このように面取りされた下側角部３６は、面取り寸法Ａと面取り寸法Ｂとが等しいもの、あるいは、面取り寸法Ａより面取り寸法Ｂが小さいものに比べ、下方へ吹出される調和空気Ａ１の左右方向への広がり角度を大きくすることができる。その結果、左右方向における気流到達性が向上する。
【００２７】
図７には、面取りされた正面側角部３７の一例が、ＸＹ平面での断面図で示される。図７において、正面側角部３７はＲ面取り加工が施され、吹出し口側壁３５と正面パネル２８との間に曲率半径Ｒｃの曲面が形成されている。例えば、図６に示したＣ面取りされた下側角部３６と、Ｃ面取り寸法より小さい曲率半径ＲｃでＲ面取りされた正面側角部３７とにより吹出し口角部３８を構成した場合にも、正面方向および左右方向における気流到達性が向上する。
【００２８】
ここで、図６に示すように削り取る辺の長さが２辺で異なるＣ面取り加工が施されたものについては、Ｃ面取り寸法は、上記の面取り寸法Ａと面取り寸法Ｂのように、削り取る辺の長さが辺ごとに表される。また、下側角部３６と正面側角部３７とで面取り寸法を比較する際には、Ｃ面取り寸法については両辺の面取り寸法をまとめて比較する。例えば、Ｒ面取りされた正面側角部３７の面取り寸法がＣ面取りされた下側角部３６の面取り寸法より小さいとは、曲率半径Ｒｃが、面取り寸法Ａおよび面取り寸法Ｂの両方または片方に小さい場合のことをいう。
【００２９】
次に、図８および図９に基づき、風向が上吹きまたは下吹きに設定された場合の上下風向板４１の位置と気流について説明する。図８は、本発明の実施の形態１に係る空気調和機の室内機の上吹き風向時における吹出し口周辺の断面図である。図９は、本発明の実施の形態１に係る空気調和機の室内機の下吹き風向時における吹出し口周辺の断面図である。
【００３０】
図８に示すように、上吹き時に、上下風向板４１は下面パネル２６と正面パネル２８との接続位置２９よりも上方に位置し、吹出される調和空気の主流Ａ３は、吹出し口２２の上側の形状に沿って流れる。先述したように、吹出し口天面３３は上向きの曲面で形成され、前面パネル下部２３ａは断面がＬ字形状を有している。そのため、吹出された調和空気の主流Ａ３は、前面パネル下部２３ａの形状によって風向が正面方向へ変更され、正面方向への風量が増加し、正面方向への気流到達性が向上する。
【００３１】
また、吹出される調和空気の主流Ａ３は、吹出し口２２の左側および右側の吹出し口角部３８において、上記の正面側角部３７を通過する。そのため、正面方向への風量がさらに増し、正面方向における気流の到達距離が長くなる。
【００３２】
一方、図９に示すように、下吹き時に、上下風向板４１は下流側の端部（以下、下流側端部４１ａという）が下方に傾いている。具体的には、上下風向板４１の下流側端部４１ａは下面パネル２６と正面パネル２８との接続位置２９よりも下方に位置し、上下風向板４１の意匠面４１ｂは風路内にある部分が接続位置２９よりも背面側に位置している。そのため、吹出される調和空気の主流は、上下風向板４１および上下補助風向板４２によって吹出し口２２の下方に導かれ、吹出し口２２の左側および右側において上記の下側角部３６を通過する。したがって、下吹き時に吹出される調和空気は、図５に示す調和空気Ａ１のように、左右方向における気流の到達距離が長くなる。
【００３３】
以上のように、実施の形態１において、空気調和機１の室内機２は、吸込み口２１および吹出し口２２が形成された筺体２０と、筺体２０内に配置され、吸込み口２１から吸込まれた空気と熱交換する熱交換器（室内熱交換器４）と、熱交換器（室内熱交換器４）で熱交換された空気を吹出し口２２から吹出させる送風機（室内送風機５）と、吹出し口２２に上下回動自在に設けられ、熱交換器（室内熱交換器４）により熱交換された空気の上下方向の吹出し方向を設定する上下風向板４１と、を備え、筺体２０は、正面側に前面パネル２３が配置され、下面側に下面パネル２６が配置され、前面パネル２３と下面パネル２６とが、下面パネル２６と直角または鈍角に接続する正面パネル２８によって接続されており、吹出し口２２は、下面パネル２６から正面パネル２８にかけて形成され、吹出し口側壁３５と下面パネル２６とが接続する下側角部３６と、吹出し口側壁３５と正面パネル２８とが接続する正面側角部３７とを有し、下側角部３６および正面側角部３７は、それぞれ面取りされ、正面側角部３７の面取り寸法は、下側角部３６の面取り寸法より小さいものである。
【００３４】
これより、吹出し口２２の下側角部３６は面取りされているため、吹出される調和空気が左右方向へ広がり、一方、正面側角部３７は下側角部３６の面取り寸法より小さい寸法で面取りされているため、吹出される調和空気の左右方向への広がりが抑制される。したがって、室内機２は、下側角部３６と正面側角部３７とにより左右方向の風向制御性を良くし、正面方向への風量を増加させ、左右方向および正面方向における気流到達性を向上させることができる。また、その結果、室内機２は、左右方向に位置する使用者と正面方向に位置する使用者の双方に快適な空調を提供することができる。
【００３５】
また、下側角部３６は、吹出し口側壁３５側の面取り寸法Ａよりも下面パネル２６側の面取り寸法Ｂが大きいものである。これより、室内機２は、吹出し口２２の下側角部３６の面取り寸法が吹出し口側壁３５側と下面パネル２６側とで同一の寸法を有する場合に比べ、吹出された調和空気の左右方向の広がり角度を大きくすることができ、左右方向の気流到達性を向上させることができる。
【００３６】
また、下側角部３６は、断面形状が直線状となるＣ面取りが施され、正面側角部３７は、断面形状が曲面状となるＲ面取りが施されたものである。これより、下側角部３６と正面側角部３７とで異なる断面形状の面取り加工が採用でき、製造における加工性を良くすることができる。例えば、下側角部３６はＣ面取りが施されるため、吹出し口側壁３５側と下面パネル２６側との面取り寸法を異なるものとし、調和空気の所望の広がり角度が得られるように設定してもよい。
【００３７】
また、前面パネル２３の下部（前面パネル下部２３ａ）は、背面側へ屈曲した断面Ｌ字形状を有している。これより、吹出し口２２の形状に沿って室内機２の上側に流れた調和空気は、前面パネル下部２３ａの形状によって正面方向へ誘導される。したがって、室内機２は、正面方向への風量を増やし、正面方向における気流到達性を向上させることができる。ところで、特許文献１に記載される空気調和機の室内機では、前面パネルがラウンド形状を有している。このような室内機では、コアンダ効果により、吹出された調和空気が前面パネルの形状に沿って上方向へ広がる。その結果、室内機の正面方向への風量が減少し、正面方向の気流到達性が低下する。さらに、このような前面パネルを備える室内機が上吹きで低風量での運転を行う場合に、気流のショートサイクルにより性能が低下する場合がある。一方、室内機２は、前面パネル下部２３ａにより上吹き時のショートサイクルを抑制し、吹出された調和空気の直線性すなわち気流到達性を向上させることができる。
【００３８】
また、上下風向板４１は、上吹き風向時には、下面パネル２６と正面パネル２８との接続位置２９より上方に位置し、下吹き風向時には、下流側端部４１ａが接続位置２９より下方に位置し、かつ風路内の意匠面４１ｂが接続位置２９より後方に位置する。
【００３９】
これより、室内機２は、上吹き時に、上下風向板４１が筺体２０の下面パネル２６と正面パネル２８との接続位置２９よりも上方に位置することで、調和空気の主流Ａ３を、正面側角部３７を通過するよう誘導することができる。また室内機２は、下吹き時に、上下風向板４１の下流側端部４１ａが接続位置２９よりも下方に位置し、かつ上下風向板４１の意匠面４１ｂの風路内に位置する部分が接続位置２９よりも後方に位置するため、調和空気の主流を、下側角部３６を通過するように誘導することができる。このように、上下風向板４１は、上吹き時と下吹き時に、調和空気が通過する位置を変更することができるので、室内機２は運転中、正面方向および左右方向において気流到達性を向上させることができる。
【００４０】
なお、本発明の実施の形態は上記実施の形態に限定されず、種々の変更を行うことができる。例えば、上下風向板および上下補助風向板はそれぞれ左右に分割され、左側と右側とで独立して制御される構成であってもよい。
【符号の説明】
【００４１】
１  空気調和機、２  室内機、３  室外機、４  室内熱交換器、５  室内送風機、６  室外熱交換器、７  室外送風機、８  圧縮機、９  四方切換弁、１０  膨張弁、１１  ガス側接続配管、１２  液側接続配管、１３  冷媒回路、２０  筺体、２１  吸込み口、２２  吹出し口、２３  前面パネル、２３ａ  前面パネル下部、２４  側面パネル、２５  背面パネル、２６  下面パネル、２７  天面パネル、２８  正面パネル、２９  接続位置、３３  吹出し口天面、３４  吹出し口底面、３５  吹出し口側壁、３６  下側角部、３７  正面側角部、３８  吹出し口角部、４１  上下風向板、４１ａ  下流端部、４１ｂ  意匠面、４２  上下補助風向板、４３  左右風向板、４７  フィルター、４８  ドレンパン、Ｋ  壁面、Ｔ  天面。
【図１】
0006739619.tif 000002
【図２】
0006739619.tif 000003
【図３】
0006739619.tif 000004
【図４】
0006739619.tif 000005
【図５】
0006739619.tif 000006
【図６】
0006739619.tif 000007
【図７】
0006739619.tif 000008
【図８】
0006739619.tif 000009
【図９】
0006739619.tif 000010